【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
搬送業界内で、少なくとも１つの代理人の少なくとも１つの選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス要求の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
前記少なくとも１つの好ましい搬送サービス要求を前記少なくとも１つの代理人に伝えるように動作可能な少なくとも１つのコンピュータプログラム
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための前記少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの代理人であって、
少なくとも１つの搬送サービスを実行または提供する少なくとも１つの人、少なくとも１つの機械、またはそれらの組み合わせを含む、
少なくとも１つの代理人と、
ｊ）少なくとも１つの代理人選好であって、
ｉ）前記複数の搬送サービス要求の全部または一部を前記複数のフィルタリングされた搬送サービス要求の全部または一部にフィルタリングするために使用される、前記少なくとも１つの代理人によって選択または提供される少なくとも１つのオプションを含み、
ｉｉ）前記少なくとも１つの代理人選好が、前記少なくとも１つの好ましい搬送サービス要求を識別するために使用される、
代理人選好と、
を含み、
前記複数の搬送サービス要求の全部または一部、前記少なくとも１つの代理人の前記少なくとも１つのリアルタイムまたはほぼリアルタイムの地理的位置、またはそれらの組み合わせは、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの代理人によって使用され、
さらに、前記少なくとも１つの中央サーバは、前記複数のフィルタリングされた搬送サービス要求の全部または一部を分析または評価し、次いで、リアルタイムまたはほぼリアルタイムで、前記少なくとも１つの代理人選好に関連する前記少なくとも１つの好ましい搬送サービス要求を確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部は、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを実行し、
さらに、前記少なくとも１つの中央サーバは、リアルタイムまたはほぼリアルタイムで、前記少なくとも１つの代理人選好と、前記少なくとも１つの代理人の前記少なくとも１つのリアルタイムまたはほぼリアルタイムの地理的位置とを使用することによって、前記複数の搬送サービス要求の全部または一部をフィルタリングして、前記複数のフィルタリングされた搬送サービス要求の全部または一部を識別し、
さらに、前記複数のフィルタリングされた搬送サービス要求の全部または一部は、リアルタイムまたはほぼリアルタイムで更新され、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの代理人によって使用され、
さらに、前記少なくとも１つの中央サーバは、前記少なくとも１つの好ましい搬送サービス要求を識別するために、前記複数のフィルタリングされた搬送サービス要求の全部または一部をリアルタイムまたはほぼリアルタイムで分析または評価し、
さらに、前記少なくとも１つの好ましい搬送サービス要求は、リアルタイムまたはほぼリアルタイムで更新され、
さらに、前記少なくとも１つの中央サーバは、リアルタイムまたはほぼリアルタイムで、前記少なくとも１つの代理人選好に関連する前記少なくとも１つの好ましい搬送サービス要求を確保または取得し、
さらに、前記少なくとも１つのアプリケーションは、前記少なくとも１つの中央サーバと前記少なくとも１つのアプリケーションとの間の少なくとも１つのリンクを介して、前記少なくとも１つの中央サーバから前記少なくとも１つのアプリケーションにリアルタイムまたはほぼリアルタイムで送信される、少なくとも１つの確保されたまたは取得された好ましい搬送サービス要求をリアルタイムまたはほぼリアルタイムで更新して表示し、
さらに、前記少なくとも１つの代理人は、前記少なくとも１つの確保または取得された好ましい搬送サービス要求に関連する前記少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記複数の搬送サービス要求の全部または一部をリアルタイムまたはほぼリアルタイムで繰り返し分析または評価し、次いで、前記少なくとも１つの代理人によって停止されるまで、少なくとも１つの後続のまたは追加の好ましい搬送サービス要求を確保または取得する、
システム。
【請求項２】
前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項１に記載のシステム。
【請求項３】
前記少なくとも１つのアプリケーションが、前記少なくとも１つの中央サーバ上で動作する、
請求項１に記載のシステム。
【請求項４】
対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される、
請求項１に記載のシステム。
【請求項５】
前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含む、
請求項１に記載のシステム。
【請求項６】
搬送データが、少なくとも１つのサービス開始地理的位置、少なくとも１つのサービス終了地理的位置、価格設定情報、高価格設定情報、少なくとも１つの代理人選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項１に記載のシステム。
【請求項７】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１に記載のシステム。
【請求項８】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項７に記載のシステム。
【請求項９】
前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用される、
請求項７に記載のシステム。
【請求項１０】
前記少なくとも１つの代理人選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含む、
請求項１に記載のシステム。
【請求項１１】
前記少なくとも１つの後続または追加の好ましい搬送サービス要求が、前記少なくとも１つの代理人のために、少なくとも１つの異なる搬送業界セグメントにおいて確保または取得される、
請求項１に記載のシステム。
【請求項１２】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新される、
請求項１に記載のシステム。
【請求項１３】
前記少なくとも１つの代理人が、前記少なくとも１つのアプリケーションを使用して、前記少なくとも１つの好ましい搬送サービス要求を分析または評価し、次いで、確保または取得する、
請求項１に記載のシステム。
【請求項１４】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージングサービス、少なくとも１つの拡張メッセージサービス、またはそれらの組合せで表示される、
請求項１３に記載のシステム。
【請求項１５】
前記少なくとも１つの代理人が、前記少なくとも１つの好ましい搬送サービス要求を受諾するか、または拒否する、
請求項１４に記載のシステム。
【請求項１６】
前記少なくとも１つの代理人が前記少なくとも１つの好ましい搬送サービス要求を拒否すると、少なくとも１つの新しいまたは異なる好ましい搬送サービス要求が識別され表示される、
請求項１５に記載のシステム。
【請求項１７】
前記少なくとも１つの代理人のために、２つ以上の前記好ましい搬送サービス要求が同時に確保または取得される、
請求項１に記載のシステム。
【請求項１８】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示される、
請求項１に記載のシステム。
【請求項１９】
前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨する、
請求項１に記載のシステム。
【請求項２０】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項１に記載のシステム。
【請求項２１】
搬送業界内で、少なくとも１つの代理人選好および少なくとも１つの代理人の少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムの方法であって、
ａ）請求項１に記載のシステムを提供するステップと、
ｂ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス要求の全部または一部をリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部をリアルタイムまたはほぼリアルタイムで格納するステップと、
ｄ）前記少なくとも１つの中央サーバを使用して、前記複数の搬送サービス要求の全部または一部をリアルタイムまたはほぼリアルタイムで標準化するステップと、
ｅ）前記少なくとも１つの中央サーバを使用して、前記複数の搬送サービス要求の全部または一部をリアルタイムまたはほぼリアルタイムで集約するステップと、
ｆ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの代理人選好および前記少なくとも１つの代理人の前記少なくとも１つのリアルタイムまたはほぼリアルタイムの地理的位置をリアルタイムまたはほぼリアルタイムで送信するステップであって、
ｉ）前記少なくとも１つの代理人が、前記少なくとも１つの端末の前記少なくとも１つの入力ソースを使用して、前記少なくとも１つのアプリケーションに前記少なくとも１つの代理人選好を入力または提供し、
ｉｉ）前記少なくとも１つのアプリケーションが、前記少なくとも１つの端末の前記少なくとも１つの地理的位置モジュールを使用して前記少なくとも１つの代理人の前記少なくとも１つのリアルタイムまたはほぼリアルタイムの地理的位置を提供する
ステップと、
ｇ）前記少なくとも１つの中央サーバと前記少なくとも１つのアプリケーションとの間の少なくとも１つのリンクを介して、前記少なくとも１つの中央サーバにおいて、前記少なくとも１つの代理人選好および前記少なくとも１つのアプリケーションから前記少なくとも１つの代理人の前記少なくとも１つのリアルタイムまたはほぼリアルタイムの地理的位置をリアルタイムまたはほぼリアルタイムで受信するステップと、
ｈ）前記少なくとも１つの中央サーバにおいて、前記少なくとも１つの代理人選好および前記少なくとも１つの代理人の少なくとも１つのリアルタイムまたはほぼリアルタイムの地理的位置を使用して前記複数の搬送サービス要求の全部または一部をリアルタイムまたはほぼリアルタイムでフィルタリングし、前記複数のフィルタリングされた搬送サービス要求の全部または一部を識別するステップと、
ｉ）前記少なくとも１つの中央サーバにおいて、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別するステップと、
ｊ）前記少なくとも１つの中央サーバにおいて、前記少なくとも１つの好ましい搬送サービス要求をリアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の少なくとも１つのリンクを介して、前記少なくとも１つの中央サーバから前記少なくとも１つの確保または取得された好ましい搬送サービス要求をリアルタイムまたはほぼリアルタイムで受信するステップと、
ｍ）、前記少なくとも１つのアプリケーション上で、前記少なくとも１つの確保または取得された好ましい搬送サービス要求を対応する搬送データとともにリアルタイムまたはほぼリアルタイムで表示するステップと、
ｎ）前記少なくとも１つの代理人は、前記少なくとも１つの確保または取得された好ましい搬送サービス要求に関連する少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記少なくとも１つの代理人によって停止されるまで、前記複数の搬送サービス要求の全部または一部をリアルタイムまたはほぼリアルタイムで繰り返し分析または評価し、次いで、前記少なくとも１つの後続のまたは追加の好ましい搬送サービス要求を確保または取得するステップと、を含む
方法。
【請求項２２】
前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項２１に記載の方法。
【請求項２３】
前記少なくとも１つの代理人選好が、前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの代理人選好が、前記少なくとも１つの代理人によって前記少なくとも１つのアプリケーションに再び入力または提供されない、
請求項２１に記載の方法。
【請求項２４】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別する、
請求項２１に記載の方法。
【請求項２５】
前記複数の搬送サービス要求の全部または一部をフィルタリングするときに、前記少なくとも１つの代理人の前記少なくとも１つのリアルタイムまたはほぼリアルタイムの地理的位置以外の少なくとも１つの異なる地理的位置が使用される、
請求項２１に記載の方法。
【請求項２６】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項２１に記載の方法。
【請求項２７】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せで表示される、
請求項２１に記載の方法。
【請求項２８】
前記少なくとも１つの代理人が、前記少なくとも１つの好ましい搬送サービス要求を受諾するか、または拒否する、
請求項２７に記載の方法。
【請求項２９】
前記少なくとも１つの代理人が前記少なくとも１つの好ましい搬送サービス要求を拒否すると、少なくとも１つの新しいまたは異なる好ましい搬送サービス要求が識別され表示される、
請求項２８に記載の方法。
【請求項３０】
前記少なくとも１つの代理人のために、２つ以上の前記好ましい搬送サービス要求が同時に確保または取得される、
請求項２１に記載の方法。
【請求項３１】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示される、
請求項２１に記載の方法。
【請求項３２】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新される、
請求項２１に記載の方法。
【請求項３３】
前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨する、
請求項２１に記載の方法。
【請求項３４】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項２１に記載の方法。